(57)【要約】【課題】  販売を目的とする音声や映像を含むコンテンツデータの配信及び試視聴システムを提供する。【解決手段】  コンテンツデータ管理サーバ１１１、コンテンツリクエストデータ入力器１１３及び近距離無線データ通信インターフェース１１５を有する試視聴装置１１０、及びアダプタ（モデム、メモリーカード、端末にダウンロードされたファイル等）１１６より構成されている。販売店２００の試視聴装置１１０へのアクセスは、販売店２００で顧客が携帯持参する近距離無線データ通信インターフェース１３５を有する携帯情報端末１３０に販売店２００より貸与されたアダプタ１１６を結合した状態で行う。このアダプタ１１６は原則として退店の際に返却するようにする。【選択図】  図２
2007102806.tif 000002
【特許請求の範囲】
【請求項１】
コンテンツデータを蓄積してあるサーバを用いた販売促進用のコンテンツデータ試視聴システムにおいて、
顧客の個人所有の携帯情報端末から、販売者側が所有するコンテンツデータを蓄積してあるサーバに、前記携帯情報端末及び前記サーバの両者が備える近距離無線データ通信機構（インターフェース）を介してアクセスすることで、販売店設置の音声及び映像データ試視聴用の音声スピーカ・映像モニターを用いないで、商品である音声及び映像コンテンツデータの試視聴を行うようにしたことを特徴とする販売促進用のコンテンツデータ試視聴システム。
【請求項２】
請求項１に記載された販売促進用のコンテンツデータ試視聴システムにおいて、
前記両者の近距離無線データ通信機構間の通信を可能にするアダプタを試視聴に用いる顧客所有の携帯情報端末に取り付けてコンテンツデータの試視聴を可能とし、コンテンツデータの試視聴の場所を販売店内に限定したことを特徴とする販売促進用のコンテンツデータ試視聴システム。
【請求項３】
請求項１に記載された販売促進用のコンテンツデータ試視聴システムにおいて、
試視聴に用いる顧客所有の携帯情報端末内に事前にコンテンツデータの試視聴許可データを蓄積しておき、顧客が来店すると、前記近距離無線データ通信機構を介して販売店の試視聴システム側から顧客所有の携帯情報端末にアクセスしてその顧客がコンテンツデータの試視聴許可を受けているか否かを判別し、その試視聴許可を受けている顧客に対しては、その顧客所有の携帯情報端末でコンテンツデータの試視聴が可能になるように販売店の試視聴システムをセットアップし、コンテンツデータの試視聴の場所を販売店内に限定したことを特徴とする販売促進用のコンテンツデータ試視聴システム。
【発明の詳細な説明】
【技術分野】
【０００１】
本発明は、販売を目的とする音声や映像を含む販売促進用のコンテンツデータの配信及び試視聴に関する。
【背景技術】
【０００２】
好みにあった音楽や映像を含むコンテンツデータを探したい場合には、音楽や映像を含むコンテンツデータの試視聴を販売店の試視聴コーナーで販売店のヘッドホンや映像モニターＴＶやコンテンツデータ選択装置等の試視聴用設備を利用して幾つかのコンテンツデータの試視聴を行うことが広く行われている。
【０００３】
販売を目的とする音楽や映像を含むコンテンツデータの試視に出向いて販売店側が設けた試視聴用設備を用いて幾つかのコンテンツデータを試視聴し、その中から選定しているが、その際にどのようなコンテンツデータの試視聴を行ったかの記録データを顧客個人が所有することは不可能であった。
【０００４】
また、販売を目的とする音声や映像を含むコンテンツデータの試視聴を行う場合には、販売店側が設けた試視聴用設備のみを用いてなされていた。
【発明の開示】
【発明が解決しようとする課題】
【０００５】
販売店への一度目の来店時には試視聴を行ったコンテンツデータの購入に至らなかったが、一定期間が経過した後に改めて顧客側で過去、試視聴を行ったコンテンツデータを購入することを決定した場合に、過去に試視聴を行ったコンテンツデータの詳細な情報が時間が経過してしまっている為に、顧客側で正確に記憶されていないことがよく起こる。コンテンツデータ購入時に、過去、試視聴を行ったコンテンツデータの詳細な情報が手に入らないと、場合によっては販売店へ出向いて時間を掛けて再度試視聴をしなければならず、能率が悪く大変煩わしい思いをするという課題があった。
【０００６】
また、多人数が同時に試視聴を行える設備を販売フロワーに設けることは困難であり、実際的には一度に試視聴が可能な人数はごく限られた少人数であり、試視聴出来るまでかなり待たされ能率が悪いという課題があった。
【０００７】
そこで、本発明は上記課題を解決するため、販売店で多人数が同時に試視聴を行うことを可能にすることを目的とする。
【課題を解決するための手段】
【０００８】
本発明は、上記課題を解決するために、以下の１）〜３）に記載の手段よりなる。
すなわち、
１）コンテンツデータを蓄積してあるサーバを用いた販売促進用のコンテンツデータ試視聴システムにおいて、
顧客の個人所有の携帯情報端末から、販売者側が所有するコンテンツデータを蓄積してあるサーバに、前記携帯情報端末及び前記サーバの両者が備える近距離無線データ通信機構（インターフェース）を介してアクセスすることで、販売店設置の音声及び映像データ試視聴用の音声スピーカ・映像モニターを用いないで、商品である音声及び映像コンテンツデータの試視聴を行うようにしたことを特徴とする販売促進用のコンテンツデータ試視聴システム。
２）１）に記載された販売促進用のコンテンツデータ試視聴システムにおいて、
前記両者の近距離無線データ通信機構間の通信を可能にするアダプタを試視聴に用いる顧客所有の携帯情報端末に取り付けてコンテンツデータの試視聴を可能とし、コンテンツデータの試視聴の場所を販売店内に限定したことを特徴とする販売促進用のコンテンツデータ試視聴システム。
３）１）に記載された販売促進用のコンテンツデータ試視聴システムにおいて、
試視聴に用いる顧客所有の携帯情報端末内に事前にコンテンツデータの試視聴許可データを蓄積しておき、顧客が来店すると、前記近距離無線データ通信機構を介して販売店の試視聴システム側から顧客所有の携帯情報端末にアクセスしてその顧客がコンテンツデータの試視聴許可を受けているか否かを判別し、その試視聴許可を受けている顧客に対しては、その顧客所有の携帯情報端末でコンテンツデータの試視聴が可能になるように販売店の試視聴システムをセットアップし、コンテンツデータの試視聴の場所を販売店内に限定したことを特徴とする販売促進用のコンテンツデータ試視聴システム。
【発明の効果】
【０００９】
本発明によれば、
請求項１乃至請求項３の発明により、携帯情報端末の普及率が高くなってきている現状においてはこのシステムを導入することにより、販売店舗において一度に多人数が、待たされることもなく他の顧客を意識することなくストレスフリーにコンテンツデータの試視聴を行うことが可能となる。
【００１０】
また、請求項１乃至請求項３の発明により、販売者側においてもコンテンツデータの試視聴システムの中で、試視聴用の音声スピーカ、映像モニターを相当な数、設ける必要がなくなるので、販売促進用のコンテンツデータ試視聴システムに要するコストの削減、店舗スペースの有効活用が可能となる。
通信ネットワークを介して予約又は購入した商品の受け取り又は利用に関連する情報とこれらの情報の属する分類情報とが伝送されるため、これら伝送される情報を自動的に蓄積することができ、内部のアプリケーションで利用することが可能となる。
【発明を実施するための最良の形態】
【００１１】
販売促進用のコンテンツデータ試視聴システムの形態につき、好ましい一参考例により、以下に図と共に説明する。
図１は顧客２０がコンテンツデータを販売する販売店（例えば、レコード販売店、レコードレンタルショップ、ビデオソフト販売店、ビデオソフトレンタルショップ、コンビニストア、電気機器量販店、パソコンショップ、書店等）１００に来店した場合、コンテンツデータ（音声・映像・双方の複合形態）の試聴・試視聴情報取得が行える販売促進用のコンテンツデータ試視聴システムの構成の一例を示した図である。
【００１２】
図１に示される販売促進用のコンテンツデータ試視聴システムは、コンテンツデータ１１Ａ、試聴用音楽データ１４、試視聴用ビデオデータ１５、商品管理データ１６、及び顧客データ１７が蓄積されるコンテンツデータ管理サーバ１１、顧客データ入力器１２、コンテンツリクエストデータ入力器１３、コンテンツデータ試視聴機器１９、電話回線（伝送路）４０、及び外部ネット回線５０とより構成されている。
【００１３】
図１に示される顧客データ１７は、コンテンツデータ１１Ａと共にコンテンツデータ管理サーバ１１内に管理されており、顧客に関するデータ１７Ａ、試視聴コンテンツデータ１７Ｂ、販売店データ１７Ｃより構成されている。
コンテンツデータ１１Ａは、音楽、映像（映画）、ゲーム等種々有り、コンテンツデータのみが顧客側に配信される形態もあるが、現在のところは、各コンテンツデータを、例えばＣＤ、ＭＤ、ＤＶＤディスクに記録したコンテンツデータ商品パッケージの形態で、あるいはテープカセットに記録したコンテンツデータ商品パッケージの形態で販売されるものが多い。よって、ここではコンテンツデータのみが配信される形態ではなく、商品パッケージの形態として販売される場合について述べる。
【００１４】
顧客に関するデータ１７Ａは、顧客の性別、年齢、住所、職業、会員番号（氏名）データなど属性に関するデータよりなり、（試視聴記録）１７Ｂは、顧客２０の試視聴コンテンツデータのタイトル（曲）名、その歌手名、その価格、その商品番号（識別コード）、その制作会社、そのホームページアドレスデータよりなり、また、販売店データ１７Ｃは、販売店案内、販売店側が選択したお勧めコンテンツ情報等よりなる。
【００１５】
また、試聴用音楽データ１４は、販売用音楽コンテンツの一部分のデータや抜粋して解説を入れたデータであり、同様に試視聴用音楽データ１５は販売用映像コンテンツの一部分のデータや抜粋して解説を入れたデータのことである。
また、商品管理データ１６は、映像音楽コンテンツのタイトル名、商品番号、作成年月日、制作会社、販売実績本数等の販売コンテンツに関するデータである。
試聴用音楽データ１４及び試視聴用音楽データ１５も顧客データ１７と同様、コンテンツデータ管理サーバ１１内に管理されている。
【００１６】
図１に示されるコンテンツデータ試視聴システムの一例について以下に説明する。
まず、販売店１００内に、コンテンツデータ（音声・映像・双方の複合形態）の試視聴を行うコンテンツデータ管理サーバ１１、顧客データ入力器１２、コンテンツリクエストデータ入力器１３、及び一台以上のコンテンツデータ試視聴機器（モニターＴＶ、ヘッドホンスピーカーＳＰ、切換機器）１９より構成されている装置１０を設置する。
【００１７】
ここで、このコンテンツデータ管理サーバ１１に蓄積管理される試聴用音楽データ１４や試視聴用ビデオデータ１５は、コンテンツ供給先から外部ネット回線５０を介して配信され蓄積されたものが多い。
外部ネット回線５０を利用することにより、最新のコンテンツに対応した試聴用音楽データ１４や試視聴用ビデオデータ１５を、多くの販売店に時間を掛けずにほぼ同時に配信することが出来る。
【００１８】
顧客データ入力器１２は、来店した顧客２０により、顧客の性別、年齢、住所、職業、会員番号（氏名）等の属性の顧客に関するデータ１７Ａを入力するものである。また、顧客２０各自に与えられたＩＤカードを顧客データ入力器１２に入力して顧客データがコンテンツデータ管理サーバ１１に顧客に関するデータ１７Ａとして入力してもよい。
【００１９】
コンテンツリクエストデータ入力器１３は、顧客２０により、リクエストするコンテンツの商品（商品パッケージ）番号等の顧客データ１７Ｂが入力されるものである。
コンテンツデータ試視聴機器１９は、例えば液晶モニターＴＶ、ヘッドホンスピーカーＳＰ、切換機器を有した構成され、コンテンツデータ試視聴機器１９は、一台以上配置される。
【００２０】
つぎに、顧客２０は試視聴に際し、販売店が定めて顧客各自に与えたＩＤを試視聴装置１０に入力する。これによりコンテンツデータの試視聴の最終的許可を販売店１００に設置してある試視聴装置１０より得る。
また、ＩＤを入力することにより、顧客２０は現在試視聴を行っているのが自分であることを試視聴装置１０に認識させる。
【００２１】
つぎに、コンテンツデータの試視聴を行った際の詳細情報の記録を販売店１００に設置してある試視聴装置１０内に、顧客データ（顧客に関するデータ１７Ａ、試視聴コンテンツデータ１７Ｂ、及び販売店データ１７Ｃ）１７として残す。
このようにして残された顧客２０毎の試視聴情報である顧客データ１７は、販売店１００に設置してある試視聴装置１０で管理される。
【００２２】
顧客２０は各自所有する情報端末（携帯電話器）３０を用い、電話回線４０等の伝送路を経由して、販売店１００に設置してある試視聴装置１０に、電話番号、顧客２０のＩＤ（カード）番号等を入力してアクセスし、リクエストすることにより、販売店１００の外にいる顧客２０側から、自由に販売店１００内にあるサーバー１１により管理されている試視聴情報（顧客データ）１７のうち少なくとも試視聴コンテンツデータ（試視聴記録）１７Ｂを引き出すことが可能となる。
【００２３】
なお、伝送路としては、図１では電話回線４０を使用する場合を一実施例として示したが、これに限定されるものではなく、他の無線回線、衛星回線等を使用してもよい。
情報端末としては、図１では携帯電話器３０を使用する場合を一実施例として示したが、これに限定されるものではなく、パソコン、他の携帯端末等も使用出来る。
【００２４】
つぎに、本発明の販売促進用のコンテンツデータ試視聴システムの実施例について、図と共に以下に説明する。
図２は本実施例に適用される近距離無線データ通信機構を有する販売促進用のコンテンツデータ試視聴システムの例を示した図である。
図２に示されるように、コンテンツデータ管理サーバ１１１、コンテンツリクエストデータ入力器１１３及び近距離無線データ通信インターフェース１１５を有する試視聴装置１１０、及びアダプタ（モデム、メモリーカード、端末にダウンロードされたファイル等）１１６より構成されている。
【００２５】
販売店２００の試視聴装置１１０へのアクセスは、販売店２００で顧客が携帯持参する近距離無線データ通信インターフェース１３５を有する携帯情報端末１３０に販売店２００より貸与されたアダプタ（モデム、メモリーカード、端末にダウンロードされたファイル等）１１６を結合した状態で行う。このアダプタ１１６は原則として退店の際に返却する。
【００２６】
この実施例は、Bluetooth等に類する近距離無線データ通信機構を介してコンテンツデータ試視聴システムにアクセスするものである。
このBluetoothは、スウェーデンEricsson社、米IBM Corp社、米Intel Corp社、フィンランドNokia社、東芝の５社が１９９８年５月から標準化活動を開始した近距離無線通信技術で、非同期データや音声データ等を１０m程度の近距離で無線でやり取りをするものである。
【００２７】
この実施例のコンテンツデータ試視聴システムは、顧客個人が所有する携帯情報端末１３０から、販売店２００側が所有するコンテンツデータを蓄積してあるサーバ１１１に、前記携帯情報端末１３０及び前記サーバ１１１の両者が備えているBluetooth等に類する近距離無線データ通信機構を介してアクセスすることで顧客２０が顧客所有の携帯情報端末１３０を通して、商品であるコンテンツデータの試視聴を行えるインターフェース１１５，１３５を付加することで、販売店２００設置の音声及び映像データ試視聴用の音声スピーカ及び映像モニターを用いることなく、音声及び映像コンテンツデータの試視聴を可能とするものである。
【００２８】
この実施例のコンテンツデータ試視聴システムにつき、具体的に以下に説明する。
顧客とコンテンツデータ販売店２００の間には予め、顧客側が来店時にコンテンツデータの試視聴を行ってもよいとの取決めが取りかわされており、その許可ＩＤ・顧客の認識に必要なデータは顧客２０の所有の情報携帯端末１３０内に収められている。
【００２９】
さらに、このコンテンツデータ試視聴システムに、顧客個人が所有する携帯情報端末１３０から、情報携帯端末１３０はBluetooth等に類する近距離無線データ通信機構１３５を内蔵（Bluetooth送受信モジュールを搭載）しているものとし、顧客が販売店２００に来店すると同時に販売者側が所有するコンテンツデータを蓄積してあるサーバ１１１と通信を行い、販売店２００側が所有するコンテンツデータを蓄積してあるサーバ１１１に自分の来店を認識させ、コンテンツデータを蓄積してあるサーバ１１１をコンテンツデータの試視聴が可能な状態にセットアップする。
【００３０】
これらの手続きがなされた後に、顧客は自分の所有する情報携帯端末１３０から情報携帯端末１３０が備えているBluetooth等に類する近距離無線データ通信機構１３５を介して、コンテンツデータを蓄積してあるサーバ１１１にアクセスを行い、自分の携帯する情報携帯端末１３０を使用してコンテンツデータの試視聴を行う。この時、試視聴を希望するコンテンツデータの識別コードは商品であるコンテンツデータのパッケージ１２０に付加されているものとする。
【００３１】
このような近距離無線データ通信インターフェース１３５を付加することにより、販売店設置の音声及び映像データ試視聴用の音声スピーカ、映像モニターを用いることなく、音声及び映像コンテンツデータの試視聴は可能となる。
従って、コンテンツデータ試視聴装置１１０が備える回線数だけの顧客が同時に試視聴が可能となり、顧客は他の顧客を意識することなく、ストレスフリーに試視聴を行える。
【００３２】
また、販売店は音声及び映像データ試視聴用の音声スピーカ、映像モニターをこれまでのように数多く設置する必要がなくなり、販売店側にとっても音声スピーカ、映像モニターをこれまでのように数多く購入する必要がなくなり、店舗スペースの有効活用が可能となる。
【００３３】
つぎに、試視聴を行える場所を販売店内に限定する方法について、以下に説明する（販売店内に限定）。
モデムやメモリーカード、端末にダウンロードされたファイル等に類するアダプタ１１６の貸与について述べる。
この方法は、コンテンツデータの試視聴を行える場所を販売店内に限定するために、試視聴に用いる顧客所有の携帯情報端末１３０に取り付けることでコンテンツデータの試視聴を可能とする、モデム、メモリーカード、端末にダウンロードされたファイル等に類するアダプタ１１６を顧客が販売店２００に入店した際に貸し出すようにする。このアダプタ１１６は原則として退店の際に販売店２００に返却する。
【００３４】
この方法に関しては、試視聴に用いる顧客所有の携帯情報端末１３０に取り付けることでコンテンツデータの試視聴を一定の期間のみ可能とする、モデムやメモリーカード、端末にダウンロードされたファイル等に類するアダプタ１１６を、販売店が顧客に代金の支払い額、サービスポイント、販売店主催の会への入会などの一定条件のもとに、貸与または譲渡するようにしてもよい。
【００３５】
試視聴を行える場所を販売店内に限定するその他の方法について説明する（顧客所有の携帯情報端末１３０内にコンテンツデータの試視聴許可データの事前蓄積）。
この方法は、コンテンツデータの試視聴を行える場所を販売店内に限定するために、試視聴に用いる顧客所有の携帯情報端末１３０内に事前にコンテンツデータの試視聴許可データを蓄積しておく。
【００３６】
顧客が販売店に来店すると、近距離無線データ通信機構１１５を介して販売店２００の試視聴システム側から顧客所有の携帯情報端末１３０に近距離無線データ通信機構１３５を介してアクセスすることで、その顧客がコンテンツデータの試視聴許可を受けているか否かを判別し、許可を受けている顧客に対しては、その顧客所有の携帯情報端末１３０がコンテンツデータの試視聴可能になるように販売店の試視聴システム１１０をセットアップするようにする。
【００３７】
つぎに、販売店内における試視聴の回数の制限について以下に説明する（試視聴回数の制限）。
顧客所有の携帯情報端末１３０からのコンテンツデータの試視聴のリクエストを、販売店側の所有するコンテンツデータ蓄積用サーバ１１１が受信した際に、顧客の携帯情報端末１３０の電話番号その他、それに類するＩＤ情報を検知、記憶することで、顧客のコンテンツデータの試視聴の回数に制限を設けるようにする。
【図面の簡単な説明】
【００３８】
【図１】販売促進用のコンテンツデータ試視聴システムの構成の一例を示した図である。
【図２】本実施例に適用される近距離無線データ通信機構を有する販売促進用のコンテンツデータ試視聴システムの例を示した図である。
【符号の説明】
【００３９】
１０，１１０  試視聴システム（試視聴装置）
１１，１１１  コンテンツデータ管理サーバ
１１Ａ  コンテンツデータ
１２  顧客データ入力器
１３，１１３  コンテンツリクエストデータ入力器
１４  試聴用音楽データ
１５  試視聴用ビデオデータ
１６  商品管理データ
１７  顧客データ
１７Ａ  顧客に関するデータ
１７Ｂ  試視聴コンテンツデータ（試聴記録及び／又は試視記録）
１７Ｃ  販売店データ
２０  顧客
３０  情報端末（携帯電話器）
４０  電話回線（伝送路）
５０  外部ネット回線
１００，２００  販売店（販売店舗）
１１５，１３５  近距離無線データ通信インターフェース
１１６  アダプタ
１２０  コンテンツデータ商品パッケージ
１３０  携帯情報端末
【図１】
2007102806.tif 000003
【図２】
2007102806.tif 000004